(57)【要約】【課題】撮影を実行させる際の操作性を向上させることのできる撮影装置、撮影方法及び撮影プログラムを得る。【解決手段】ＣＰＵ（中央処理装置）により、レリーズスイッチ５６Ａの圧力センサ９４から出力された圧力信号により示される押圧力が所定圧力以上となった場合に撮影準備を実行するように制御した後に、撮影準備終了時の状態を所定期間維持し、当該所定期間の間に圧力センサ９４への押圧方向に対する前記押圧力の変化速度が所定速度以上となった場合に撮影を実行するように制御する。【選択図】図３
2007286185.tif 000002
【特許請求の範囲】
【請求項１】
撮影準備の実行を指示するときと撮影の実行を指示するときに押圧され、押圧されることにより押圧力を示す圧力信号を出力する圧力センサと、
前記圧力センサから出力された前記圧力信号に基づいて押圧方向に対する前記押圧力の変化速度を導出する導出手段と、
前記圧力センサから出力された前記圧力信号により示される押圧力が所定圧力以上となった場合に撮影準備を実行するように制御した後に、撮影準備終了時の状態を所定期間維持し、当該所定期間の間に前記導出手段によって導出された前記変化速度が所定速度以上となった場合に撮影を実行するように制御する制御手段と、
を備えた撮影装置。
【請求項２】
撮影に関する所定パラメータを入力する入力手段を更に備え、
前記制御手段は、前記撮影準備終了時の状態を所定期間維持している間に前記入力手段によって前記所定パラメータが入力された場合、当該所定パラメータに応じた所定処理を実行する
請求項１記載の撮影装置。
【請求項３】
前記所定パラメータは、ホワイトバランス調整処理で用いる光源種、自動露出制御で用いるシャッター速度及び絞り値の少なくとも一方、撮影シーン、及び自動合焦制御で用いるフォーカスポイントの少なくとも１つである
請求項２記載の撮影装置。
【請求項４】
前記圧力センサと前記入力手段が一体的に構成されている
請求項２又は請求項３記載の撮影装置。
【請求項５】
前記入力手段は、中心点を中心として全方向に回転可能に保持され、かつ外周面に対する押圧力に応じて押圧方向に移動可能に設けられた球状の回転体を有し、当該回転体の回転操作に応じて前記所定パラメータが入力可能とされ、
前記圧力センサは、前記回転体の前記押圧方向への移動に応動して前記圧力信号を出力する
請求項４記載の撮影装置。
【請求項６】
前記入力手段は、複数方向に傾斜操作可能に保持され、かつ中心軸の軸線方向に対する押圧力に応じて当該軸線方向に移動可能に設けられた棒状の傾斜体を有し、当該傾斜体の傾斜操作に応じて前記所定パラメータが入力可能とされ、
前記圧力センサは、前記傾斜体の前記軸線方向への移動に応動して前記圧力信号を出力する
請求項４記載の撮影装置。
【請求項７】
撮影準備の実行を指示するときと撮影の実行を指示するときに押圧され、押圧されることにより押圧力を示す圧力信号を出力する圧力センサを備えた撮影装置による撮影方法であって、
前記圧力センサから出力された前記圧力信号により示される押圧力が所定圧力以上となった場合に撮影準備を実行するように制御した後に、撮影準備終了時の状態を所定期間維持し、当該所定期間の間に、前記圧力センサから出力された前記圧力信号に基づいて導出される、押圧方向に対する前記押圧力の変化速度が所定速度以上となった場合に撮影を実行するように制御する、
撮影方法。
【請求項８】
撮影準備の実行を指示するときと撮影の実行を指示するときに押圧され、押圧されることにより押圧力を示す圧力信号を出力する圧力センサを備えた撮影装置により実行される撮影プログラムであって、
前記圧力センサから出力された前記圧力信号に基づいて押圧方向に対する前記押圧力の変化速度を導出する導出ステップと、
前記圧力センサから出力された前記圧力信号により示される押圧力が所定圧力以上となった場合に撮影準備を実行するように制御した後に、撮影準備終了時の状態を所定期間維持し、当該所定期間の間に前記導出ステップによって導出された前記変化速度が所定速度以上となった場合に撮影を実行するように制御する制御ステップと、
をコンピュータに実行させる撮影プログラム。
【発明の詳細な説明】
【技術分野】
【０００１】
本発明は、撮影装置、撮影方法及び撮影プログラムに係り、特に、撮影を実行する前に予め定められた撮影準備を実行する撮影装置、撮影方法及び撮影プログラムに関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する情報機器の需要が急増している。なお、ここでは、以上のような撮影機能を有する情報機器を撮影装置と称する。
【０００３】
ところで、以上のような撮影装置では、撮影の際に押圧操作されるレリーズスイッチ（所謂シャッター）が設けられており、当該レリーズスイッチには、撮影準備の実行を指示する際の押圧状態である半押し状態と、撮影の実行を指示する際の押圧状態である全押し状態の２段階の状態を有するものが多い。
【０００４】
そして、レリーズスイッチに対する操作感を向上させることを目的として、特許文献１には、レリーズスイッチを、操作圧力を検出するものとし、検出された操作圧力に応じて半押し状態と全押し状態とを入力する技術が開示されている。
【０００５】
また、特許文献２には、部品点数を削減すると共に、撮影装置本体の防水性を向上させることを目的として、上カバーの表面に変位自在な釦形状のレリーズ部を一体に設け、このレリーズ部に対応して上カバーの裏面側に受部材を固定し、この受部材と前記レリーズ部との間にレリーズ部に加えられる押圧力を検知する圧力センサを介在させた技術が開示されている。
【特許文献１】特開平６−１３８５３２号公報
【特許文献２】特開平９−２３０４６６号公報
【発明の開示】
【発明が解決しようとする課題】
【０００６】
しかしながら、上記各特許文献に開示されている技術では、圧力センサによって検出された押圧力の大きさが所定押圧力となったことをもって撮影の実行指示がなされたものと判断しているため、必ずしも操作性がよいとは限らない、という問題点があった。
【０００７】
すなわち、年少者や高齢者等の握力の低い撮影者等が撮影の実行を指示するレリーズ操作を行う際には、撮影者の意図に反し当該レリーズ操作に応じて圧力センサにより検出される押圧力が上記所定押圧力に達しない場合があり、この場合、シャッターチャンスを逃してしまう場合もある。
【０００８】
本発明は上記問題点を解決するためになされたものであり、撮影を実行させる際の操作性を向上させることのできる撮影装置、撮影方法及び撮影プログラムを提供することを目的とする。
【課題を解決するための手段】
【０００９】
上記目的を達成するために、本発明の撮影装置は、撮影準備の実行を指示するときと撮影の実行を指示するときに押圧され、押圧されることにより押圧力を示す圧力信号を出力する圧力センサと、前記圧力センサから出力された前記圧力信号に基づいて押圧方向に対する前記押圧力の変化速度を導出する導出手段と、前記圧力センサから出力された前記圧力信号により示される押圧力が所定圧力以上となった場合に撮影準備を実行するように制御した後に、撮影準備終了時の状態を所定期間維持し、当該所定期間の間に前記導出手段によって導出された前記変化速度が所定速度以上となった場合に撮影を実行するように制御する制御手段と、を備えている。
【００１０】
本発明の撮影装置によれば、圧力センサが撮影準備の実行が指示されるときと撮影の実行が指示されるときに押圧され、押圧されることにより押圧力を示す圧力信号が出力される一方、当該圧力信号に基づいて押圧方向に対する前記押圧力の変化速度が導出手段によって導出される。
【００１１】
ここで、本発明では、制御手段により、前記圧力センサから出力された前記圧力信号により示される押圧力が所定圧力以上となった場合に撮影準備が実行されるように制御された後に、撮影準備終了時の状態が所定期間維持され、当該所定期間の間に前記導出手段によって導出された前記変化速度が所定速度以上となった場合に撮影が実行されるように制御される。
【００１２】
このように、本発明の撮影装置によれば、圧力センサから出力された圧力信号により示される押圧力が所定圧力以上となった場合に撮影準備を実行するように制御した後に、撮影準備終了時の状態を所定期間維持し、当該所定期間の間に前記圧力センサへの押圧方向に対する前記押圧力の変化速度が所定速度以上となった場合に撮影を実行するように制御しているので、従来の技術のように撮影準備の実行を指示する際の押圧力の閾値である前記所定圧力よりも大きな圧力で圧力センサを押圧することなく撮影の実行指示を行うことができ、この結果として撮影を実行させる際の操作性を向上させることができる。
【００１３】
なお、本発明は、撮影に関する所定パラメータを入力する入力手段を更に備え、前記制御手段は、前記撮影準備終了時の状態を所定期間維持している間に前記入力手段によって前記所定パラメータが入力された場合、当該所定パラメータに応じた所定処理を実行するものとしてもよい。
【００１４】
特に、本発明は、前記所定パラメータが、ホワイトバランス調整処理で用いる光源種、自動露出制御で用いるシャッター速度及び絞り値の少なくとも一方、撮影シーン、及び自動合焦制御で用いるフォーカスポイントの少なくとも１つであるものとしてもよい。
【００１５】
また、本発明は、前記圧力センサと前記入力手段が一体的に構成されているものとしてもよく、この場合、本発明の前記入力手段が、中心点を中心として全方向に回転可能に保持され、かつ外周面に対する押圧力に応じて押圧方向に移動可能に設けられた球状の回転体を有し、当該回転体の回転操作に応じて前記所定パラメータが入力可能とされ、前記圧力センサが、前記回転体の前記押圧方向への移動に応動して前記圧力信号を出力するものとしてもよく、更に、前記入力手段が、複数方向に傾斜操作可能に保持され、かつ中心軸の軸線方向に対する押圧力に応じて当該軸線方向に移動可能に設けられた棒状の傾斜体を有し、当該傾斜体の傾斜操作に応じて前記所定パラメータが入力可能とされ、前記圧力センサが、前記傾斜体の前記軸線方向への移動に応動して前記圧力信号を出力するものとしてもよい。
【００１６】
一方、上記目的を達成するために、本発明の撮影方法は、撮影準備の実行を指示するときと撮影の実行を指示するときに押圧され、押圧されることにより押圧力を示す圧力信号を出力する圧力センサを備えた撮影装置による撮影方法であって、前記圧力センサから出力された前記圧力信号により示される押圧力が所定圧力以上となった場合に撮影準備を実行するように制御した後に、撮影準備終了時の状態を所定期間維持し、当該所定期間の間に、前記圧力センサから出力された前記圧力信号に基づいて導出される、押圧方向に対する前記押圧力の変化速度が所定速度以上となった場合に撮影を実行するように制御するものである。
【００１７】
従って、本発明の撮影方法によれば、本発明の撮影装置と同様に作用するので、当該撮影装置と同様に、撮影を実行させる際の操作性を向上させることができる。
【００１８】
また、上記目的を達成するために、本発明の撮影プログラムは、撮影準備の実行を指示するときと撮影の実行を指示するときに押圧され、押圧されることにより押圧力を示す圧力信号を出力する圧力センサを備えた撮影装置により実行される撮影プログラムであって、前記圧力センサから出力された前記圧力信号に基づいて押圧方向に対する前記押圧力の変化速度を導出する導出ステップと、前記圧力センサから出力された前記圧力信号により示される押圧力が所定圧力以上となった場合に撮影準備を実行するように制御した後に、撮影準備終了時の状態を所定期間維持し、当該所定期間の間に前記導出ステップによって導出された前記変化速度が所定速度以上となった場合に撮影を実行するように制御する制御ステップと、をコンピュータに実行させるものである。
【００１９】
従って、本発明の撮影プログラムによれば、コンピュータに対して本発明の撮影装置と同様に作用させることができるので、当該撮影装置と同様に、撮影を実行させる際の操作性を向上させることができる。
【発明の効果】
【００２０】
本発明によれば、圧力センサから出力された圧力信号により示される押圧力が所定圧力以上となった場合に撮影準備を実行するように制御した後に、撮影準備終了時の状態を所定期間維持し、当該所定期間の間に前記圧力センサへの押圧方向に対する前記押圧力の変化速度が所定速度以上となった場合に撮影を実行するように制御しているので、従来の技術のように撮影準備の実行を指示する際の押圧力の閾値である前記所定圧力よりも大きな圧力で圧力センサを押圧することなく撮影の実行指示を行うことができ、この結果として撮影を実行させる際の操作性を向上させることができる、という効果が得られる。
【発明を実施するための最良の形態】
【００２１】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２２】
［第１の実施の形態］
まず、図１を参照して、本実施の形態に係るデジタルカメラ１０の外観上の構成を説明する。
【００２３】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２４】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２６】
なお、本実施の形態に係るデジタルカメラ１０では、レリーズスイッチ５６Ａが半押し状態とされた際に上記ＡＥ機能による露出状態の設定及び上記ＡＦ機能による合焦制御等の撮影準備を実行した後、当該撮影準備終了時の状態を所定期間維持すると共に、当該所定期間の間にレリーズスイッチ５６Ａへの押圧方向に対する押圧力の変化速度が所定速度以上となった場合にも全押し状態とされた場合と同様に撮影が行われる。
【００２７】
また、モード切替スイッチ５６Ｃは、撮影を行うモードである撮影モード及び被写体像を後述するＬＣＤ３８に再生するモードである再生モードの何れかのモードに設定する際に回転操作される。
【００２８】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２９】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチとが備えられている。
【００３０】
次に、図２を参照して、本実施の形態に係るデジタルカメラ１０の電気系の要部構成を説明する。
【００３１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３６】
なお、本実施の形態のデジタルカメラ１０では、メモリ４８としてフラッシュ・メモリ（Flash Memory）が用いられ、メモリカード５２としてスマート・メディア（Smart Media（登録商標））が用いられている。
【００３７】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４３】
次に、図３の断面側面図を参照して、本実施の形態に係るレリーズスイッチ５６Ａの構成を詳細に説明する。
【００４４】
図３（Ａ）に示すように、本実施の形態に係るレリーズスイッチ５６Ａには、デジタルカメラ１０の筐体における上面壁１２Ａの所定位置に設けられた開口部１２Ｂに貼付された伸縮自在な薄肉部９０と、デジタルカメラ１０の内部において薄肉部９０に頂部表面が開口部１２Ｂを介して当接される略ボルト形状とされた可動部９２が備えられている。
【００４５】
また、レリーズスイッチ５６Ａには、デジタルカメラ１０の内部の所定位置に固定されたプリント配線板ＰＢに実装され、かつ可動部９２の胴部の径と略同一の径とされた孔９８を有する断面視略Ｕ字状の圧力センサ９４と、可動部９２の胴部における底部側の一部が圧力センサ９４の孔９８に挿入されるように設けられた状態で可動部９２の頭部と圧力センサ９４の孔９８が設けられている側の表面との間に介在され、可動部９２を薄肉部９０の方向に付勢するバネＳＰと、プリント配線板ＰＢに実装され、かつ可動部９２の移動方向を圧力センサ９４の方向（可動部９２の軸線方向）に規制する規制部材９６と、が備えられている。
【００４６】
そして、レリーズスイッチ５６Ａは、可動部９２の頂部が薄肉部９０を介して押圧操作されていない状態（図３（Ａ）に示される状態）において、薄肉部９０の可動部９２の頂部に対応する領域が所定量（ここでは、３ｍｍ）だけ突出し、かつ可動部９２の胴部における底部側の一部が圧力センサ９４の孔９８に挿入されるように各部が位置決めされている。
【００４７】
この状態において圧力センサ９４の孔９８には可動部９２の底部により略密閉状態とされた空間が形成されるものとされており、本実施の形態に係る圧力センサ９４は、可動部９２に対する押圧操作に応じた当該空間の体積の変化に応じて、押圧操作による押圧力を示す電気信号（以下、「圧力信号」という。）を出力するものとされている。なお、図３（Ｂ）には、全押し状態としたときのレリーズスイッチ５６Ａの状態が示されている。
【００４８】
ここで、圧力センサ９４は、一例として図４（Ａ）に示すように、孔９８を介して付与された圧力の大きさに略比例した圧力信号を出力するものとされている。そして、圧力センサ９４の圧力信号を出力する出力端子（図示省略。）はＣＰＵ４０に電気的に接続されており、ＣＰＵ４０は、圧力センサ９４から入力されている圧力信号に基づいて、レリーズスイッチ５６Ａに対する押圧力を把握することができる。
【００４９】
なお、圧力センサは、以上のような構成のものに限らず、例えば、歪み抵抗型圧力センサ、半導体圧力センサ、圧電式圧力センサ、抵抗変化型薄膜状圧力センサ等、レリーズスイッチ５６Ａに対する押圧操作による押圧力を示す圧力信号を出力できるものであれば如何なるものも適用することができる。
【００５０】
次に、本実施の形態に係るデジタルカメラ１０の撮影時における全体的な動作について簡単に説明する。
【００５１】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５２】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５３】
メモリ４８の所定領域に格納されたデジタル画像データは、ＣＰＵ４０による制御に応じてデジタル信号処理部３０により読み出され、光源種に応じたＲ，Ｇ，Ｂ毎のデジタルゲインをかけることでホワイトバランス調整処理を行うと共に、ガンマ処理及びシャープネス処理を行って８ビットのデジタル画像データを生成する。
【００５４】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５５】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５６】
ここで、レリーズスイッチ５６Ａがユーザによって半押し状態とされたタイミング（本実施の形態では、上記圧力信号によって示される押圧力が図４（Ａ）における圧力Ｐ２となったタイミング）で前述のようにＡＥ機能が働いて露出状態が設定された後、ＡＦ機能が働いて合焦制御され、その後、引き続き全押し状態とされたタイミング（本実施の形態では、上記圧力信号によって示される押圧力が図４（Ａ）における圧力Ｐ３となったタイミング）で、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５７】
以上が撮影時における基本的な動作であるが、本実施の形態に係るデジタルカメラ１０は、前述したように、撮影準備が終了した後で、当該撮影準備終了時の状態を維持している期間の間にレリーズスイッチ５６Ａに対する押圧力の変化速度が所定速度Ｔ以上となった場合に全押し状態とされた場合と同様に撮影を実行するものとされている。このため、デジタルカメラ１０では、一例として図４（Ｂ）に示されるように、圧力センサ９４から入力されている圧力信号により示される圧力の変化量ΔＰを当該圧力の変化期間Δｔで除算することにより上記押圧力の変化速度（以下、「圧力変化速度」という。）Ｓを導出し、当該圧力変化速度Ｓが所定速度Ｔ以上となった場合に撮影を実行する。
【００５８】
次に、図５を参照して、レリーズスイッチ５６Ａが操作された際のデジタルカメラ１０の作用を詳細に説明する。なお、図５は、レリーズスイッチ５６Ａが半押し状態とされた際にデジタルカメラ１０のＣＰＵ４０によって実行されるレリーズ検出処理プログラムの処理の流れを示すフローチャートであり、当該プログラムはメモリ４８の所定領域に予め記憶されている。
【００５９】
まず、ステップ１００では、ＣＰＵ４０に内蔵された不図示のタイマーによる計時を開始し、次のステップ１０２では、前述したＡＥ機能及びＡＦ機能を働かせる等して撮影準備を実行する。
【００６０】
撮影準備が終了すると、次のステップ１０４では、圧力センサ９４から入力されている圧力信号により示される押圧力が、全押し状態に対応する圧力である圧力Ｐ３以上となったか否かを判定し、肯定判定となった場合はステップ１０６に移行して撮影を実行し、その後に後述するステップ１２２に移行する。
【００６１】
一方、上記ステップ１０４において否定判定となった場合にはステップ１０８に移行し、上記圧力信号により示される押圧力が所定量（ここでは、圧力Ｐ２の１０分の１の量）以上変化したか否かを判定して、否定判定となった場合は後述するステップ１１６に移行する一方、肯定判定となった場合はステップ１１０に移行する。
【００６２】
ステップ１１０では、前述したように圧力変化速度Ｓを導出し、次のステップ１１２にて、所定速度Ｔを圧力変化速度Ｓにより調整することによる学習を行い、その後にステップ１１４に移行して、圧力変化速度Ｓが所定速度Ｔ以上であるか否かを判定して肯定判定となった場合は上記ステップ１０６に移行して撮影を実行する一方、否定判定となった場合にはステップ１１６に移行する。なお、本実施の形態に係るレリーズ検出処理プログラムでは、上記ステップ１１２における学習として、所定速度Ｔを圧力変化速度Ｓに所定割合（一例として、圧力変化速度Ｓの２０分の１）だけ近づける調整を適用しているが、これに限らず、例えば、所定速度Ｔに対して、所定速度Ｔと圧力変化速度Ｓの差分の所定割合に相当する速度を圧力変化速度Ｓに近づける方向に加算又は減算する調整等、圧力変化速度Ｓの個人差を反映することができる他の調整を適用することもできる。
【００６３】
ステップ１１６では、メニュースイッチが押圧操作されたか否かを判定することにより、メニュー画面の表示が指示されたか否かを判定し、肯定判定となった場合はステップ１１８に移行して、以下に示すようにメニュー実行処理を実行する。
【００６４】
まず、予め定められたメニュー画面を表示するようにＬＣＤインタフェース３６を介してＬＣＤ３８を制御し、当該メニュー画面に対するユーザによる指示入力待ちを行う。
【００６５】
図６には、本実施の形態に係る上記メニュー画面のＬＣＤ３８による表示状態例が示されている。同図に示されるように、本実施の形態に係るメニュー画面では、ホワイトバランス調整処理で適用される光源種情報が選択可能に表示されると共に、ＡＥ機能で適用されるシャッタースピード情報及び絞り値情報が設定可能とされたバーが表示され、かつ撮影条件として適用される撮影シーン情報が選択可能に表示される。なお、同図に示されるように、本実施の形態に係るメニュー画面では、以上の各表示対象が、被写体のスルー画像と共にＯＳＤ（On Screen Display）機能により表示されるものとされている。
【００６６】
同図に示されるようなメニュー画面がＬＣＤ３８により表示されると、ユーザは、十字カーソルスイッチ５６Ｄを用いて所望の情報を指定ないし設定した後、当該メニュー画面の最下に表示されている終了ボタンを指定する。
【００６７】
これに応じて、ＣＰＵ４０は、ユーザによって指定ないし設定された情報が以後適用されるようにする処理を実行した後、上記タイマーによる計時値をクリアする。
【００６８】
以上のようなメニュー実行処理が終了すると上記ステップ１０４に戻る。
【００６９】
一方、上記ステップ１１６において否定判定となった場合はステップ１２０に移行し、上記ステップ１００の処理によって計時が開始された不図示のタイマーによる計時値が所定値（ここでは、１０秒に対応する値）以上となったか否かを判定し、否定判定となった場合は上記ステップ１０４に戻る一方、肯定判定となった場合にはステップ１２２に移行する。
【００７０】
ステップ１２２では、上記不図示のタイマーによる計時を停止し、その後に本レリーズ検出処理プログラムを終了する。
【００７１】
以上詳細に説明したように、本実施の形態では、圧力センサから出力された圧力信号により示される押圧力が所定圧力（ここでは、圧力Ｐ２）以上となった場合に撮影準備を実行するように制御した後に、撮影準備終了時の状態を所定期間維持し、当該所定期間の間に前記圧力センサへの押圧方向に対する前記押圧力の変化速度が所定速度以上となった場合に撮影を実行するように制御しているので、従来の技術のように撮影準備の実行を指示する際の押圧力の閾値である前記所定圧力よりも大きな圧力（圧力Ｐ３）で圧力センサを押圧することなく撮影の実行指示を行うことができ、この結果として撮影を実行させる際の操作性を向上させることができる。
【００７２】
また、本実施の形態では、撮影に関する所定パラメータを入力する入力手段（ここでは、十字カーソルスイッチ５６Ｄ）を更に備え、前記撮影準備終了時の状態を所定期間維持している間に前記入力手段によって前記所定パラメータが入力された場合、当該所定パラメータに応じた所定処理を実行しているので、前記所定期間の間であれば、圧力センサに対する押圧操作を行わない状態下でも上記所定パラメータを入力することができる結果、撮影を実行させる際の操作性を更に向上させることができる。
【００７３】
特に、本実施の形態では、前記所定パラメータとして、ホワイトバランス調整処理で用いる光源種、自動露出制御で用いるシャッター速度及び絞り値、及び撮影シーンを適用しているので、これらの所望のパラメータに応じた撮影を行うことができる。
【００７４】
［第２の実施の形態］
本第２の実施の形態では、レリーズスイッチの変形例について説明する。なお、本第２の実施の形態に係るデジタルカメラ１０の構成は、レリーズスイッチの構成を除いて上記第１の実施の形態に係るものと同様であるので、ここでは、まず、本第２の実施の形態に係るレリーズスイッチの構成について、図７を参照しつつ詳細に説明する。
【００７５】
図７（Ａ）に示されるように、本実施の形態に係るレリーズスイッチ５６Ａ’は、トラックボール６２と、エンコーダ機構６４と、圧力センサ６６と、可動部６８と、バネＳＰとを備えている。
【００７６】
トラックボール６２は、或る程度重量感を持たせた球状の回転体であり、上面壁１２Ａに形成された開口１０Ｃを介して球面の一部が露出した状態で全方向に回転可能かつ押圧操作可能に設けられている。なお、トラックボール６２の表面の材質としてはゴムが用いられており、エンコーダ機構６４の後述するローラ６４Ａとの摩擦係数を増加させている。
【００７７】
エンコーダ機構６４は、トラックボール６２の表面に当接する円柱状のローラ６４Ａと、トラックボール６２の直交する２方向（Ｘ方向、Ｙ方向）の移動量に応じたパルス信号を出力する回転量検出部６４Ｂと、を有する２組のエンコーダ６５Ａ、６５Ｂを備えている。
【００７８】
ローラ６４Ａは、軸部分の材質が、例えばプラスチックからなり、トラックボール６２との摩擦で容易に回転可能とされている。なお、ローラ６４Ａの軸の長さは、トラックボール６２の径に合うように調整されている。また、回転量検出部６４Ｂは、ローラ６４Ａの回転量に応じたパルス信号を出力するものとして構成されている。従って、回転量検出部６４Ｂから出力されたパルス信号に基づいてトラックボール６２の回転量（移動量）を検出することができる。
【００７９】
一方、レリーズスイッチ５６Ａ’には、トラックボール６２の表面積の半分を越えた部分を囲むことによってトラックボール６２を保持すると共に、トラックボール６２が外部から押圧されたときにトラックボール６２と共に当該押圧の方向と同一の方向に移動される保持部材７０が備えられている。
【００８０】
保持部材７０は、トラックボール６２を保持する面が当該トラックボール６２の被保持面と略同一サイズで略同形状（一部球状）のものとされている。そして、保持部材７０のトラックボール６２保持側の面（内面）には、トラックボール６２と保持部材７０との間の摩擦力を低下させるための化学繊維で構成された摩擦低下部材７０Ａが貼り付けられている。
【００８１】
また、保持部材７０の図７における右端位置及び左端位置には、それぞれ保持部材７０の移動方向をデジタルカメラ１０の底面方向（図７（Ａ）矢印Ａ方向）に規制する規制壁７２Ａ、７２Ｂが設けられている。
【００８２】
従って、本実施の形態に係るレリーズスイッチ５６Ａ’では、トラックボール６２が押圧されると、トラックボール６２及び保持部材７０は移動方向が規制壁７２Ａ、７２Ｂに規制されて図７（Ａ）矢印Ａ方向に一体的に移動され、図７（Ｂ）に示す状態となるが、このとき、エンコーダ６５Ａ及びエンコーダ６５Ｂは、トラックボール６２の表面から離間するように、一端部が上面壁１２Ａに固定された支持部材６４Ｃによって固定的に位置決めされている。
【００８３】
一方、可動部６８は、デジタルカメラ１０の内部において頂部表面が保持部材７０の外壁における下端部に当接される略ボルト形状とされたものである。また、圧力センサ６６は、デジタルカメラ１０の内部の所定位置に固定されたプリント配線板ＰＢに実装され、かつ可動部６８の胴部の径と略同一の径とされた孔６９を有する断面視略Ｕ字状のものとされており、バネＳＰは、可動部６８の胴部における底部側の一部が圧力センサ６６の孔６９に挿入されるように設けられた状態で可動部６８の頭部と圧力センサ６６の孔６９が設けられている側の表面との間に介在され、可動部６８及び保持部材７０を一体的に上面壁１２Ａの方向に付勢するものとされている。
【００８４】
そして、レリーズスイッチ５６Ａ’は、トラックボール６２の頂部が押圧操作されていない状態（図７（Ａ）に示される状態）において、トラックボール６２の頂部が所定量（ここでは、３ｍｍ）だけ突出し、かつ可動部６８の胴部における底部側の一部が圧力センサ６６の孔６９に挿入されるように各部が位置決めされている。
【００８５】
この状態において圧力センサ６６の孔６９には可動部６８の底部により略密閉状態とされた空間が形成されるものとされており、本実施の形態に係る圧力センサ６６は、トラックボール６２に対する押圧操作に応じた当該空間の体積の変化に応じて、押圧操作による押圧力を示す電気信号（圧力信号）を出力するものとされている。なお、図７（Ｂ）には、全押し状態としたときのレリーズスイッチ５６Ａ’の状態が示されている。
【００８６】
以上のように構成されたレリーズスイッチ５６Ａ’では、トラックボール６２がユーザによって回転された場合に、各々トラックボール６２の互いに直交するＸ方向及びＹ方向の移動量を示すパルス信号がエンコーダ６５Ａ及びエンコーダ６５Ｂから出力される。
【００８７】
従って、デジタルカメラ１０のＣＰＵ４０は、これらのパルス信号に基づいてトラックボール６２の回転方向及び回転量を検出することができる。
【００８８】
また、圧力センサ６６は、一例として図４（Ａ）に示すように、孔６９を介して付与された圧力の大きさに略比例した圧力信号を出力するものとされている。そして、圧力センサ６６の圧力信号を出力する出力端子（図示省略。）はＣＰＵ４０に電気的に接続されており、ＣＰＵ４０は、圧力センサ６６から入力されている圧力信号に基づいて、レリーズスイッチ５６Ａ’に対する押圧力を把握することができる。
【００８９】
なお、圧力センサは、以上のような構成のものに限らず、例えば、歪み抵抗型圧力センサ、半導体圧力センサ、圧電式圧力センサ、抵抗変化型薄膜状圧力センサ等、レリーズスイッチ５６Ａ’に対する押圧操作による押圧力を示す圧力信号を出力できるものであれば如何なるものも適用することができる。
【００９０】
次に、図８を参照して、レリーズスイッチ５６Ａ’が操作された際の本第２の実施の形態に係るデジタルカメラ１０の作用を詳細に説明する。なお、図８は、レリーズスイッチ５６Ａ’が半押し状態とされた際にデジタルカメラ１０のＣＰＵ４０によって実行されるレリーズ検出処理プログラムの処理の流れを示すフローチャートであり、当該プログラムはメモリ４８の所定領域に予め記憶されている。また、図８の図５と同一の処理を行うステップには図５と同一のステップ番号を付して、その説明を省略する。
【００９１】
ステップ１０８又はステップ１１４において否定判定となった場合、ステップ１１７に移行して、予め定められた操作（ここでは、レリーズスイッチ５６Ａ’のトラックボール６２に対する回転操作）が行われたか否かを判定し、否定判定となった場合はステップ１２０に移行する一方、肯定判定となった場合にはステップ１１９に移行して、以下に示すように ＡＦ機能を実行する際の合焦対象とする画像位置（以下、「ＡＦポイント」という。）を設定するＡＦポイント操作処理を実行する。
【００９２】
ここで、ユーザは、ＡＦポイントを所望の位置に移動させることを想定して、レリーズスイッチ５６Ａ’のトラックボール６２に対する、ＡＦポイントの当該所望の位置への移動方向に対応する方向への回転操作を行う。
【００９３】
そこで、ＣＰＵ４０は、まず、トラックボール６２の回転方向及び回転量を検出し、次に、検出した回転方向に検出した回転量に応じた量だけ、ＡＦポイントの表示位置を変更するようにＬＣＤインタフェース３６を介してＬＣＤ３８を制御する。
【００９４】
図９には、以上の制御による、ＬＣＤ３８に表示されているＡＦポイントを示すマークＦＰの移動状態の一例が模式的に示されている。なお、同図に示すように、本実施の形態に係るデジタルカメラ１０は、ＡＦ機能の実行時における合焦対象とする位置を示すマークＦＰを、被写体像（スルー画像）にＯＳＤ機能により重ねた状態でＬＣＤ３８によって表示するものとされており、ユーザによるトラックボール６２の回転操作により、マークＦＰを同図に示すような状態で移動表示することができる。
【００９５】
そして、ユーザは、被写体像上の所望の位置にマークＦＰの表示位置が位置された時点で予め定められた操作（ここでは、トラックボール６２の図７（Ａ）矢印Ａ方向（圧力センサ６６の方向）への押圧操作）を行う。
【００９６】
そこで、ＣＰＵ４０は、当該予め定められた操作が行われた場合に、その時点におけるマークＦＰの位置に対応する被写体画像領域がＡＦポイントとして指定されたものと見なして、当該被写体画像領域をＡＦポイントとしてＡＦ機能を働かせる制御を行う。なお、本実施の形態に係るデジタルカメラ１０では、全被写体画像領域を水平方向及び垂直方向の各方向に対して所定数（ここでは、水平方向に５つで垂直方向に３つ）の矩形領域に分割し、各分割領域のうちのマークＦＰが位置されている分割領域を、ＡＦ機能の実行時において適用する領域とするようにしている。
【００９７】
以上のようなＡＦポイント操作処理が終了すると上記ステップ１０４に戻る。
【００９８】
以上詳細に説明したように、本実施の形態では、上記第１の実施の形態と同様の効果を奏することができると共に、レリーズスイッチ５６Ａ’として圧力センサ（ここでは、圧力センサ６６）と撮影に関する所定パラメータ（ここでは、ＡＦポイント）を入力する入力手段（ここでは、トラックボール６２）が一体的に構成されたものを適用しているので、レリーズ操作と上記所定パラメータの入力操作とを一体的に構成されたレリーズスイッチ５６Ａ’により行うことができる結果、撮影を実行させる際の操作性を更に向上させることができる。
【００９９】
特に、本実施の形態では、前記入力手段を、中心点を中心として全方向に回転可能に保持され、かつ外周面に対する押圧力に応じて押圧方向に移動可能に設けられた球状の回転体（ここでは、トラックボール６２）を有し、当該回転体の回転操作に応じて前記所定パラメータが入力可能とされたものとし、前記圧力センサを、前記回転体の前記押圧方向への移動に応動して前記圧力信号を出力するものとしているので、簡易に撮影指示操作及び所定パラメータの入力操作を行うことができる。
【０１００】
なお、本実施の形態では、レリーズスイッチ５６Ａ’のトラックボールとして、表面が滑らかな球状とされたトラックボール６２を適用した場合について説明したが、本発明はこれに限定されるものではなく、例えば、一例として図１０に示されるように、表面に所定間隔毎に所定形状（同図に示す例では半球状）の凹部６３を有するトラックボール６２’を適用し、トラックボール６２’の表面に当接する円柱状のローラとして、トラックボール６２’との当接部位に対し、トラックボール６２’の回転に従動して回転する際にトラックボール６２’の凹部６３に嵌め込まれる形状とされた凸部６７を有するローラ６４Ａ’を適用する形態とすることもできる。なお、錯綜を回避するために、同図では、トラックボール６２’及びローラ６４Ａ’以外の構成部品の図示を省略している。
【０１０１】
この場合、トラックボール６２’を回転操作する際にクリック感を持たせることができるので、より操作性を向上させることができる。
【０１０２】
また、本実施の形態では、本発明の圧力センサと入力手段が一体的に構成されたものの形態例としてトラックボールを用いたレリーズスイッチ５６Ａ’（図７参照。）を適用した場合について説明したが、本発明はこれに限定されるものではなく、例えば、棒状の操作子を有する、所謂ジョイスティック型のレリーズスイッチを適用する形態とすることもできる。
【０１０３】
図１１には、この場合のレリーズスイッチ５６Ａ’’の要部の構成例が示されている。なお、図１１（Ａ）はレリーズスイッチ５６Ａ’’の断面側面図で、図１１（Ｂ）はレリーズスイッチ５６Ａ’’の分解斜視図であり、図７に示したレリーズスイッチ５６Ａ’と同様の部位については図７と同一の符号を付して、その説明を省略する。
【０１０４】
同図に示すように、このレリーズスイッチ５６Ａ’’は、トラックボール６２に代えて、複数方向に傾斜操作可能に保持され、かつ中心軸の軸線方向に対する押圧力に応じて当該軸線方向Ａに移動可能に設けられた略棒状の傾斜体８０を有している。
【０１０５】
同図に示すように、傾斜体８０には、その底面部に傾斜体８０の中心軸を中心として放射状に延設された平板状の複数（同図に示す例では、４つ）のスイッチ押下部８２が設けられている。これに対し、各々当該複数のスイッチ押下部８２の何れかに１対１で対応する複数のスイッチ８４が、傾斜体８０が傾斜された際に対応するスイッチ押下部８２により閉状態とされる位置に固定配置されている。
【０１０６】
以上のように構成されたレリーズスイッチ５６Ａ’’では、本実施の形態に係るレリーズスイッチ５６Ａ’におけるトラックボール６２に対する回転操作の代わりに傾斜体８０を所望の方向（トラックボール６２に対する回転方向と同様の方向）に傾斜させることにより、本実施の形態に係るレリーズスイッチ５６Ａ’と同様に作用させることができる。
【０１０７】
この形態においても、本実施の形態と同様の効果を奏することができる。
【０１０８】
また、上記第１の実施の形態では、本発明の所定パラメータとしてホワイトバランス調整処理で用いる光源種、自動露出制御で用いるシャッター速度及び絞り値、及び撮影シーンを適用し、上記第２の実施の形態では、本発明の所定パラメータとしてＡＦ機能で用いるフォーカスポイントを適用した場合について説明したが、本発明はこれに限定されるものではなく、例えば、以上の各パラメータを全て適用する形態とすることもできる。この場合、上述したレリーズスイッチ５６Ａ’、又はレリーズスイッチ５６Ａ’’を適用して、トラックボール６２の回転操作及び押圧操作、又は傾斜体８０の傾斜操作及び押圧操作により各パラメータの設定を行うことになる。この場合も、上記各実施の形態と同様の効果を奏することができる。
【０１０９】
その他、上記各実施の形態に係るデジタルカメラやレリーズスイッチの構成（図１〜図３、図７、図１０、図１１参照。）は一例であり、本発明の主旨を逸脱しない範囲内において適宜変更可能であることは言うまでもない。
【０１１０】
また、上記各実施の形態において説明したレリーズ検出処理プログラムの処理の流れ（図５及び図８参照。）も一例であり、本発明の主旨を逸脱しない範囲内において、各ステップの処理順序の変更、処理内容の変更、不要なステップの削除、新たなステップの追加等を行うことができることは言うまでもない。
【０１１１】
また、上記各実施の形態において説明した各種画面の表示状態（図６、図９参照。）も一例であり、本発明の主旨を逸脱しない範囲内において変更することができることは言うまでもない。
【０１１２】
更に、上記各実施の形態では、本発明をデジタルカメラに適用した場合について説明したが、本発明は、ＰＤＡ、携帯電話機等、撮影機能を有する情報機器であれば如何なるものにでも適用できることは言うまでもない。
【図面の簡単な説明】
【０１１３】
【図１】実施の形態に係るデジタルカメラの外観を示す外観図である。
【図２】実施の形態に係るデジタルカメラの電気系の要部構成を示すブロック図である。
【図３】第１の実施の形態に係るレリーズスイッチの構成を示す断面側面図である。
【図４】実施の形態に係る圧力センサの説明に供するグラフである。
【図５】第１の実施の形態に係るレリーズ検出処理プログラムの処理の流れを示すフローチャートである。
【図６】第１の実施の形態に係るメニュー画面の表示状態例を示す概略図である。
【図７】第２の実施の形態に係るレリーズスイッチの構成を示す断面側面図である。
【図８】第２の実施の形態に係るレリーズ検出処理プログラムの処理の流れを示すフローチャートである。
【図９】第２の実施の形態に係るＡＦポイントを示すマークＦＰの移動状態の一例を示す概略図である。
【図１０】第２の実施の形態に係るレリーズスイッチの変形例の構成を示す概略側面図である。
【図１１】第２の実施の形態に係るレリーズスイッチの他の変形例の構成を示す概略側面図及び分解斜視図である。
【符号の説明】
【０１１４】
１０    デジタルカメラ
２４    ＣＣＤ
３８    ＬＣＤ
４０    ＣＰＵ（導出手段、制御手段）
５６Ａ、５６Ａ’、５６Ａ’’    レリーズスイッチ
５６Ｄ    十字カーソルスイッチ（入力手段）
６２、６２’    トラックボール（入力手段、回転体）
６６    圧力センサ
８０    傾斜体（入力手段）
９４    圧力センサ
【図１】
2007286185.tif 000003
【図２】
2007286185.tif 000004
【図３】
2007286185.tif 000005
【図４】
2007286185.tif 000006
【図５】
2007286185.tif 000007
【図６】
2007286185.tif 000008
【図７】
2007286185.tif 000009
【図８】
2007286185.tif 000010
【図９】
2007286185.tif 000011
【図１０】
2007286185.tif 000012
【図１１】
2007286185.tif 000013